(57)【要約】【課題】収納空間を有して内部の視認が行える窓を備えた箱型ケースについて、この窓から入った光が内部で十分反射して、当該窓からの視認が確実に行えるようにすることのできる箱型ケースを提供すること。【解決手段】互いに面対称となった略箱型で合成樹脂製の第１半割体１０及び第２半割体２０を、その各開口部側にて振動溶着するとにより一体化して、内部に液体の収納空間３０を形成するとともに、この収納空間３０内に収納された前記液体の量を外部から視認するための窓５１または５２を、透明又は半透明材料によって第１半割体１０または第２半割体２０の一部に形成するようにした箱型ケース１００であって、第２半割体２０または第１半割体１０の、窓５１または５２に対向する内側部分に、光反射部を形成したこと。【選択図】図１
2006016055.tif 000002
【特許請求の範囲】
【請求項１】
互いに面対称となった略箱型で合成樹脂製の第１半割体及び第２半割体を、その各開口部側にて振動溶着するとにより一体化して、内部に液体の収納空間を形成するとともに、この収納空間内に収納された前記液体の量を外部から視認するための窓を、透明又は半透明材料によって前記第１半割体または第２半割体の一部に形成するようにした箱型ケースであって、
前記第２半割体または第１半割体の、前記窓に対向する内側部分に、光反射部を形成したことを特徴とする箱型ケース。
【請求項２】
前記光反射部を、白色の合成樹脂によって、前記第２半割体または第１半割体に対して一体的に成形したことを特徴とする請求項１に記載の箱型ケース。
【請求項３】
前記光反射部を、前記第２半割体または第１半割体の該当部分に貼付される反射材により形成したことを特徴とする請求項１に記載の箱型ケース。
【請求項４】
前記光反射部を、前記窓に向けて突出させたことを特徴とする請求項１〜請求項３のいずれかに記載の箱型ケース。
【発明の詳細な説明】
【技術分野】
【０００１】
本発明は、互いに面対称となっている半割体を振動溶着によって溶着することにより形成される合成樹脂製の箱型ケースに関し、特に、内部に液体のための収納空間を有する箱型ケースに関するものである。
【背景技術】
【０００２】
合成樹脂によって形成されて、内部に液体の収納空間を有する箱型ケースとしては、例えば、特許文献１に記載されているような、ガソリンと潤滑油とを区画して収納する二槽タンクがある。
【０００３】
この特許文献１に記載されている二槽タンクは、図７にも示すように、「第一貯留槽（１Ａ）、第二貯留槽（１箱型ケース１００）、及び仕切り壁（５）をそれぞれ上下、左右、又は前後に分割した第一分割体（２０）と第二分割体（４０）とが射出成形法により成形されるとともに、前記第一分割体（２０）における接合側端面（３０）と前記第二分割体（４０）における接合側端面（５０）とが振動溶着法により接合されてなる」構成を有するもので、「製造コストを低く抑えることができ、タンク間の組み付け作業を不要にできるとともに、その取り付け作業を容易に行え、かつ、成形素材の厳密な重量管理を必要とせず、肉厚を均一にでき、見栄えも良く、また、別途に穴加工等を必要としない」といった作用及び効果が得られるものと考えられる。
【０００４】
また、この特許文献１に記載されている二槽タンクは、ガソリンと潤滑油とを区画して収納するものであるが、その残量を外から確認するために、当該文献１の段落００１２に記載されているように、「上側分割体と下側分割体は、それぞれ、（内容量を容易に視認できるように）透明ないし半透明のナイロン（登録商標）系の熱可塑性合成樹脂材料からなっている」ものである。
【特許文献１】特開平１１−１７０３８８号公報、要約、代表図、段落００１２
【発明の開示】
【発明が解決しようとする課題】
【０００５】
この特許文献１の二槽タンクのように、その全体を透明ないし半透明の合成樹脂材料によって箱型ケースを構成すれば、その中に入れた液体の残量を外から容易に視認できると考えられるが、この種の箱型ケース全体がそうであると、都合の悪い場合もある。
【０００６】
つまり、本発明者は、特願２００４−８０８８５号等において「導尿容器」を既に提案してきているが、この種の導尿容器について、全体を透明または半透明材料によって形成したとすると、次のような不具合がある。
【０００７】
「導尿容器」は、手術中の患者に取り付けておき、その中に貯まった尿の状態、特に色や量を視認することによって、患者の状態を確認する際にも使用されるものであるし、手術後の回復状況の確認をする際にも使用されるものである。このような導尿容器を、特許文献１に記載されているように、その全体を透明ないし半透明の合成樹脂材料によって形成したとすると、中の液体が何であるかが透けて見えるということになる。そうなると、この種の導尿容器を取り付けている患者は恥ずかしい思いをすることがあり、また、尿を捨てたり検査のために持ち運んだりする作業をしなければならない看護師にとっても、この作業が苦痛を伴うこともある。
【０００８】
そこで、本発明者は、特願２００４−８０８８５号等において既に提案している「導尿容器」について、全体は不透明な合成樹脂材料によって形成するが、その一部には外部からの視認を行えるようにするための「窓」を形成するようにしたのである。このようにすれば、特許文献１に記載されているような「上側分割体と下側分割体の全を透明ないし半透明の合成樹脂材料から構成する」場合の不具合は解消される。
【０００９】
ところが、不透明材料からなる箱型ケース内の液体量等を「窓」から視認するためには、液体を通して窓から出てくる光が必要であるが、もし真っ黒な材料によって箱型ケースを構成したとすると、視認に必要な光は窓から全く出てこないか、非常に見にくいことになる。比較的暗い半透明材料によって、あるいは板厚を厚くして箱型ケースを形成した場合も、同様である。
【００１０】
このように、液体の収納空間を有する箱型ケース全体を不透明材料によって形成し、残量を窓から目視できるようにした場合に不都合がある例としては、透明あるいは半透明であって紫外線によって変化し易い液体薬品を入れておく容器がある。
【００１１】
そこで、本発明者等は、この種の箱型ケースについて、上述したような難点を解消するにはどうしたらよいか、について種々検討を重ねてきた結果、本発明を完成したのである。
【００１２】
すなわち、本発明の目的とするところは、収納空間を有して内部の視認が行える窓を備えた箱型ケースについて、この窓から入った光が内部で十分反射して、当該窓からの視認が確実に行えるようにすることのできる箱型ケースを提供することにある。
【課題を解決するための手段】
【００１３】
以上の課題を解決するために、まず、請求項１に係る発明の採った手段は、後述する最良の形態の説明中において使用する符号を付して説明すると、
「互いに面対称となった略箱型で合成樹脂製の第１半割体１０及び第２半割体２０を、その各開口部側にて振動溶着するとにより一体化して、内部に液体の収納空間３０を形成するとともに、この収納空間３０内に収納された前記液体の量を外部から視認するための窓５１または５２を、透明又は半透明材料によって第１半割体１０または第２半割体２０の一部に形成するようにした箱型ケース１００であって、
第２半割体２０または第１半割体１０の、窓５１または５２に対向する内側部分に、光反射部６０を形成したことを特徴とする箱型ケース１００」
である。
【００１４】
すなわち、この請求項１に係る箱型ケース１００は、図１に示すように、互いに面対称となった略箱型で合成樹脂製の第１半割体１０及び第２半割体２０を、その各開口部側にて振動溶着するとにより一体化したものであり、その内部に、例えば図４あるいは図６に示すような収納空間３０（最良形態の導尿容器では精密測定部３１と貯留部３２とが該当）を形成したものである。
【００１５】
なお、後述する最良形態の箱型ケース１００では、収納空間３０を複数形成するために、図４及び図５に示すように、各半割体１０・２０の内部に内部隔壁１１・２１を形成するとともに、これらの内部隔壁１１及び２１の開口部側端面を、第１半割体１０側の第１振動溶着面１３及び第２半割体２０側の第１振動溶着面２３にしたものである。これらの各内部隔壁１１・２１は、当該箱型ケース１００に要求されている収納空間３０の大きさや数に応じて設計されるものである。
【００１６】
また、各半割体１０・２０には、図４及び図５に示すように、これを構成している内部隔壁１１・２１を外側から包み込むための外壁１２・２２を、当該各半割体１０・２０にそれぞれ形成するとともに、これらの外壁１２及び２２の開口部側端面を、第１半割体１０側の第２振動溶着面１４及び第２半割体２０側の第２振動溶着面２４とそれぞれしたものである。
【００１７】
いずれにしても、各内部隔壁１１・２１及び外壁１２・２２は、当該箱型ケース１００内において、複数の収納空間３０を区画するために使用されるものであり、特に、各内部隔壁１１・２１については、図４に示した最良形態の容器におけるように、各収納空間３０を所定の位置で積極的に連通されるためのオーバーフロー口１６が形成されることもある。
【００１８】
なお、最良形態の収納空間３０は、精密測定部３１と貯留部３２とに分けられているが、精密測定部３１は、当該箱型ケース１００を構成する第１半割体１０及び第２半割体２０の内側であって、上側中央部が下側に向けて凹んだ外壁１２・２２より下側に位置するものであり、この精密測定部３１の、図４に示した図示右上部分には、当該精密測定部３１内に一杯となった尿を貯留部３２内にオーバーフローさせるためのオーバーフロー孔１６が前述したように形成してある。貯留部３２は、第１半割体１０及び第２半割体２０の下側の大部分を構成するものである。
【００１９】
また、最良形態の箱型ケース１００は、その中に患者からの尿を導尿管等を介して導入するものであるから、この導入する際の導尿管等の接続を行うための導尿口４０が、図３に示すように、第２半割体２０の上面側に形成してある。なお、この導尿口４０の隣には、精密測定部３１内に導入された尿の分の空気を排出するための空気孔４１が設けてあり、この空気孔４１の中には精密測定部３１内に異物が入り込まないようにし、かつ尿の臭いが外に出ないようにするためのフィルターが入れてある。
【００２０】
さらに、この箱型ケース１００では、その第１半割体１０の、精密測定部３１及び貯留部３２に対向する各部分に、図１及び図２に示したように、導入された尿を外部から視認するための第１窓５１及び第２窓５２が、それぞれ設けてある。
【００２１】
第１窓５１は、精密測定部３１に対向するものであるが、これに形成した小部分と大部分とは所定の間隔をおいて形成したものであり、これらの間は、図５に示したように、順次下窄まりとした連結部分によって連続したものとしてある。なお、大部分の下方部分についても、順次下窄まりとしてある。勿論、これらの各部分には、その位置に対応する尿の量を示す目盛が付してある。
【００２２】
一方、第２窓５２は、排尿コック７０の直上にて、「く」の字状のものとして形成してあり、その表面には、目盛が付してある。勿論、この第２窓５２は第１窓５１と同様に、第１半割体１０または第２半割体２０の該当部分に対して一体成形したものである。
【００２３】
さて、第１窓５１あるいは第２窓５２に対向する、第１半割体１０または第２半割体２０の内側部分には、図５及び図６に示すように、光反射部分６０が形成してある。この光反射部分６０は、後述するように種々な形態のものが考えられるが、要するに、図６に示すように、第１窓５１あるいは第２窓５２から入ってきた光を反射（特に乱反射）されるものであればどのようなものであってもよい。
【００２４】
この箱型ケース１００は、第１半割体１０及び第２半割体２０を各内部隔壁１１・２１及び外壁１２・２２にて振動溶着によって互いに接合することにより一体化することにより形成されるものであったが、そうなると中は暗くなり、収納空間３０内の尿の色等を外から第１窓５１あるいは第２窓５２を通して視認するときには見にくいものとなる。
【００２５】
そこで、この光反射部６０が力を発揮することになるのである。つまり、この光反射部６０は、図６の実線矢印にて示したように入射してきた光を、同図中の点線矢印にて示したように、第１窓５１あるいは第２窓５２に向けて乱反射するのである。この反射光は、収納空間３０内の尿を通して外に出てくるため、尿の状態を確実に視認できることになるのである。
【００２６】
従って、この請求項１に係る箱型ケース１００によれば、内部の光反射部６０によって第１窓５１あるいは第２窓５２から入ってきた光が反射されるから、この反射光が第１窓５１あるいは第２窓５２から外に出てくるため、当該箱型ケース１００は、第１窓５１あるいは第２窓５２からの、収納空間３０内の収納液体の状態視認を確実に行えるものとなっているのである。
【００２７】
上記課題を解決するために、請求項２に係る発明の採った手段は、上記請求項１に係る箱型ケース１００について、
「光反射部６０を、白色の合成樹脂によって、第２半割体２０または第１半割体１０に対して一体的に成形したこと」
である。
【００２８】
すなわち、この請求項２の箱型ケース１００では、その光反射部６０を、白色の合成樹脂によって、第２半割体２０または第１半割体１０に対して一体的に成形したものであるが、その一体化方法としては、図６に示すような方法で十分である。つまり、第２半割体２０または第１半割体１０を不透明の合成樹脂材料によって形成するにあたって、第１窓５１あるいは第２窓５２に内側から対向することになる部分を凹んだ状態に成形しておいて、この凹んだ部分内に白色の合成樹脂材料を射出する、所謂二色成形するのである。
【００２９】
従って、この請求項２の箱型ケース１００では、上記請求項１のそれと同様な効果を発揮する他、光反射部６０を簡単かつ確実に形成することができるのである。
【００３０】
上記課題を解決するために、請求項３に係る発明の採った手段は、上記請求項１に係る箱型ケース１００について、
「光反射部６０を、第２半割体２０または第１半割体１０の該当部分に貼付される反射材により形成したこと」
である。
【００３１】
すなわち、この請求項３の箱型ケース１００では、光反射部６０を、第２半割体２０または第１半割体１０の、第１窓５１あるいは第２窓５２に内側から対向することになる部分に貼付される反射材としたものである。この反射材としては、鏡は勿論、金属箔や単なる白色ラベルであってもよいものであり、光の反射が行えて第２半割体２０または第１半割体１０の該当部分に簡単に貼付できるものであれば、何であってもよい。
【００３２】
従って、この請求項３の箱型ケース１００でも、上記請求項１のそれと同様な効果を発揮する他、光反射部６０を簡単かつ確実に形成することができるのである。
【００３３】
そして、上記課題を解決するために、請求項４に係る発明の採った手段は、上記請求項１〜請求項３のいずれかに係る箱型ケース１００について、
「光反射部６０を、窓５１または５２に向けて突出させたこと」
である。
【００３４】
つまり、この請求項４の箱型ケース１００では、図示はしていないけれども、その光反射部６０を窓５１または５２に向けて突出させたものである。この突出させる手段としては、第２半割体２０または第１半割体１０の、第１窓５１あるいは第２窓５２に内側から対向することになる部分を、収納空間３０に悪影響を与えないように突出（内側への膨出）させるだけでよく、この突出した内端が光反射部６０となればよいのである。
【００３５】
従って、この請求項４の箱型ケース１００は、上記請求項１〜請求項３のいずれかに係るそれと同様な効果を発揮する他、光反射部６０における光反射を確実に行うことができるのである。
【発明の効果】
【００３６】
以上詳述した通り、本発明においては、
「互いに面対称となった略箱型で合成樹脂製の第１半割体１０及び第２半割体２０を、その各開口部側にて振動溶着するとにより一体化して、内部に液体の収納空間３０を形成するとともに、この収納空間３０内に収納された前記液体の量を外部から視認するための窓５１または５２を、透明又は半透明材料によって第１半割体１０または第２半割体２０の一部に形成するようにした箱型ケース１００であって、
第２半割体２０または第１半割体１０の、窓５１または５２に対向する内側部分に、光反射部６０を形成したこと」
を主たる特徴とするものであり、これにより、窓５１または５２から入った光を内部の光反射部６０で十分反射させることができて、当該窓５１または５２からの、収納空間３０内に収納した液体の状態の視認を、外部から確実かつ簡単に行える箱型ケース１００を提供することができたのである。
【発明を実施するための最良の形態】
【００３７】
次に、以上のように構成した各請求項に係る発明を、図面に示した最良の形態である箱型ケース１００について説明すると、図１にはこの最良形態の箱型ケース１００を斜め前方からみた斜視図が、また図３にはこの箱型ケース１００を斜め後方からみた斜視図が、それぞれ示してある。図２は、この最良形態の箱型ケース１００の正面図である。
【００３８】
この最良形態の箱型ケース１００は、半割体形状に形成した第１半割体１０と第２半割体２０とを、その各第１半割体１０側の第１振動溶着面１３と第２半割体２０側の内部隔壁２１、及び第１半割体１０側の第２振動溶着面１４と第２半割体２０側の外壁２２にて振動溶着により一体化することにより形成したものであり、患者の尿を一時的にいれておく「導尿容器」として使用されるものである。
【００３９】
すなわち、この箱型ケース１００は、手術中あるいは手術後の患者の身体から引き出された導尿管を通して送られてくる尿を一時的に溜めておくものであり、図３に示した導尿口４０からの尿が導入される複数の収納空間３０を内部に形成したものである。本最良形態の箱型ケース１００における収納空間３０は、図４及び図５に示したように、導入されてきたばかりの新しい尿の量を収納して測定するための精密測定部３１と、この精密測定部３１内の尿を、図４に示したオーバーフロー口１６から導入されることになる貯留部３２とに機能別に分けたものである。
【００４０】
そのために、この箱型ケース１００では、図４及び図５に示したように、各半割体１０・２０の内部に、上述した収納空間３０を形成するための内部隔壁１１・２１が形成してあるとともに、これらの内部隔壁１１及び２１の開口部側端面を、第１半割体１０側の第１振動溶着面１３及び第２半割体２０側の第１振動溶着面２３としてある。
【００４１】
また、各半割体１０・２０には、図４及び図５に示したように、これを構成している内部隔壁１１・２１を外側から包み込むための外壁１２・２２が、当該各半割体１０・２０にそれぞれ形成してあるとともに、これらの外壁１２及び２２の開口部側端面を、第１半割体１０側の第２振動溶着面１４及び第２半割体２０側の第２振動溶着面２４としてある。
【００４２】
そして、この箱型ケース１００は、第１半割体１０及び第２半割体２０を、各内部隔壁１１・２１及び外壁１２・２２にて、振動溶着によって互いに接合することにより一体化することにより形成されるものであることは上述した通りである。なお、本最良形態では、各半割体１０・２０の少なくともいずれか一方の内部隔壁１１または２１の第１振動溶着面１３または２３の高さを、外壁１２または２２の第２振動溶着面１４または２４より高くしてある。
【００４３】
換言すれば、当該箱型ケース１００は、これを構成する両側面１０・２０内に、端面が第１振動溶着面１３・２３となる内部隔壁１１・２１、及び端面が第２振動溶着面１４・２４となる外壁１２・２２を設けておくとともに、第１振動溶着面１３・２３が第２振動溶着面１４・２４に対して少し高くなるように形成しておいて、これらの内部隔壁１１・２１及び外壁１２・２２同士を、各第１半割体１０と第２半割体２０との振動溶着によって一体化することにより、内部に、導尿口４０に直接連なる精密測定部３１と、この精密測定部３１の下方を主たる部分とする貯留部３２とを形成したものである。
【００４４】
なお、精密測定部３１と貯留部３２とを振動溶着するにあたって、本最良形態では、各外壁１２・２２の内側、あるいは各内部隔壁１１・２１の両側に帯壁部を形成しておくことがなされる。この帯壁部は、第１半割体１０及び第２半割体２０が相対的に振動しあったときに生ずることがある「スリ屑」を包み込むものである。
【００４５】
また、この箱型ケース１００の下方部分には、図１に示したように、内部の尿を排出するための排尿コック７０が設けられるのであるが、この排尿コック７０は、図４に示した、第１半割体１０及び第２半割体２０の下方部分に形成したコック穴７１内に取付けられるものである。そして、この箱型ケース１００の中央部分には、図１に示したように、精密測定部３１の尿を貯留部３２側に流すためのリセットコック８０が設けられるのであるが、このリセットコック８０は、図４に示したように、第１半割体１０及び第２半割体２０に形成したコック穴８１内に設けられるものである。
【００４６】
なお、この箱型ケース１００は、その全体を手で持って搬送し易くするために、第１半割体１０及び第２半割体２０の上部にハンドル部を形成したものであり、また、当該箱型ケース１００を吊り下げるためのフックを、第２半割体２０側のハンドル部の上部に一体的に形成したものである。そして、当該箱型ケース１００は、机の上等にも載置することがあるため、各第１半割体１０及び第２半割体２０の下部にはスタンド部がそれぞれ一体的に形成してある。
【００４７】
また、この箱型ケース１００は、その中に患者からの尿を導尿管等を介して導入するものであるから、この導入する際の導尿管等の接続を行うための導尿口４０が、図３に示したように、第２半割体２０の上面側に形成してある。なお、この導尿口４０の隣には、精密測定部３１内に導入された尿の分の空気を排出するための空気孔４１が設けてあり、この空気孔４１の中には精密測定部３１内に異物が入り込まないようにし、かつ尿の臭いが外に出ないようにするためのフィルターが入れてある。
【００４８】
本最良形態の箱型ケース１００では、その精密測定部３１内の尿をその下部にある貯留部３２内に直接流下させることができるようにもしているが、これを行うのが前述したリセットコック８０である。このリセットコック８０は、その操作摘みを外に出しているものであり、本体は、図４に示したコック穴８１内に回動自在に挿入されるものである。
【００４９】
また、この箱型ケース１００では、図３に示したように、その精密測定部３１内の尿を直接採ることができるようにするための採尿ポート２７が形成してある。この採尿ポート２７は、通常は精密測定部３１を閉じておくものであるが、採尿器の吸引針を差し込めるようにしているものである。
【００５０】
さらに、この箱型ケース１００では、その第１半割体１０の、精密測定部３１及び貯留部３２に対向する各部分に、図１及び図２に示したように、導入された尿を外部から視認するための第１窓５１及び第２窓５２が、それぞれ設けてある。
【００５１】
第１窓５１は、精密測定部３１に対向するものであるが、これに形成した小部分と大部分とは所定の間隔をおいて形成したものであり、これらの間は、図５に示したように、順次下窄まりとした連結部分によって連続したものとしてある。なお、大部分の下方部分についても、順次下窄まりとしてある。勿論、これらの各部分には、その位置に対応する尿の量を示す目盛が付してある。
【００５２】
一方、第２窓５２は、排尿コック７０の直上にて、「く」の字状のものとして形成してあり、その表面には、目盛が付してある。
【００５３】
さて、第１窓５１あるいは第２窓５２に対向する、第１半割体１０または第２半割体２０の内側部分には、図５及び図６に示したように、光反射部分６０が形成してある。この光反射部分６０は、種々な形態のものが考えられるが、要するに、図６に示したように、第１窓５１あるいは第２窓５２から入ってきた光を乱反射させるものであればどのようなものであってもよい。
【００５４】
この光反射部６０としては、これを例えば白色の合成樹脂によって、第２半割体２０または第１半割体１０に対して一体的に成形してもよいし、第２半割体２０または第１半割体１０の該当部分に貼付される反射材としてもよいものである。
【００５５】
また、光反射部６０は、これが設けられている第１半割体１０または第２半割体２０の該当部分を、窓５１または５２に向けて突出させるように実施してもよいものである。この場合には、当該光反射部６０と窓５１または５２の間隔を小さくすることができて、その中にある尿等の液体の層を小さくすることができるから、光の透過を損失がない状態で行え、液体の状態の視認がより確実に行えることになる。
【００５６】
ところで、この箱型ケース１００では、その各半割体１０・２０の少なくともいずれか一方の内部隔壁１１または２１の第１振動溶着面１３または２３の高さを、外壁１２または２２の第２振動溶着面１４または２４より高くなるようにしておいてあった。他より高さが高くなっている部分は、例えば内部隔壁１１の第１振動溶着面１３だけ、あるいは第２振動溶着面１４側の第２振動溶着面２４だけであってもよく、さらには両者に形成されていてもよいものであり、具体的には、０．１ｍｍ〜０．２ｍｍ程度の高さである。
【００５７】
このように構成した各第１半割体１０及び第２半割体２０を、その各開口部が互いに対向し合うようにセットして互いに当接させると、まず、内部隔壁１１・２１の第１振動溶着面１３・２３が当接し合う。ここで、振動溶着を行うと、内部隔壁１１・２１の第１振動溶着面１３・２３が当接状態で互いに擦れ合い、第１振動溶着面１３・２３が熱を発生して溶融する。
【００５８】
そして、これらの第１振動溶着面１３・２３が順に溶融して溶着し合うとともに、それ自身の高かった部分が段々低くなり、今度は、第２振動溶着面１４・２４が当接して溶融し始めるのである。つまり、振動溶着の初期において、各第１振動溶着面１３・２３の溶着が隙間無く行われた後に、各第１振動溶着面１３・２４の振動溶着が始まるのであり、各第１振動溶着面１３・２３の振動溶着作業は、外壁１２・２２の各第１振動溶着面１３・２４におけるそれ対して先に行われるのである。
【００５９】
換言すれば、この箱型ケース１００においては、内部となっていて表には出ていない少なくとも第１半割体１０側の第１振動溶着面１３の、第２半割体２０側の第１振動溶着面２３に対する振動溶着が他に先立ってなされているのであるが、この第１振動溶着面１３は、僅かに突出させてあったから、この部分の振動溶着が十分成されているか否かは、図２に示した寸法Ｈ分だけの隙間から確認しながら行うことができる。そして、この第１振動溶着面１３の溶融が済んだ後に、第１半割体１０側の第２振動溶着面１４と第２半割体２０側の第２振動溶着面２４との溶着がなされるのであり、第１半割体１０側の第２振動溶着面１４と第２半割体２０側の第２振動溶着面２４との溶着は外から容易に確認できるため、結果として得られた箱型ケース１００は、内側部分も外側部分も、十分かつ完全に接合し合ったものとなる。
【図面の簡単な説明】
【００６０】
【図１】本発明に係る箱型ケースとして採用される導尿容器の前方側からみた斜視図である。
【図２】同導尿容器の正面図である。
【図３】同導尿容器の後方側からみた斜視図である。
【図４】同導尿容器を構成している第１半割体の開口部側の端面図である。
【図５】同導尿容器を構成している第２半割体の開口部側の端面図である。
【図６】図５中の１−１線に沿ってみた箱型ケースの部分拡大横断面図である。
【図７】従来の技術を示す分解斜視図である。
【符号の説明】
【００６１】
１００    箱型ケース
１０    第１半割体
１１    内部隔壁
１２    外壁
１３    第１振動溶着面
１４    第２振動溶着面
１６    オーバーフロー口
２０    第２半割体
２１    内部隔壁
２２    外壁
２３    第１振動溶着面
２４    第２振動溶着面
３０    収納空間
３１    精密測定部
３２    貯留部
４０    導尿口
４１    空気穴
５１    第１窓
５２    第２窓
７０    排尿コック
８０    リセットコック
【図１】
2006016055.tif 000003
【図２】
2006016055.tif 000004
【図３】
2006016055.tif 000005
【図４】
2006016055.tif 000006
【図５】
2006016055.tif 000007
【図６】
2006016055.tif 000008
【図７】
2006016055.tif 000009